(57)【特許請求の範囲】
【請求項１】
エレベータを制御するエレベータ制御装置と、複数のエレベータの状態を監視し状況に応じて発信するエレベータ監視装置と、複数のエレベータの状態を集中して遠隔監視する監視センターと、前記エレベータ監視装置と前記監視センターとの間で交信するエレベータの遠隔監視方法において、
予め前記監視センターには機能仕様情報の更新が必要な前記エレベータ監視装置の一覧及び前記エレベータ監視装置の更新後の機能仕様情報を登録しておき、前記監視センター或いは前記エレベータ監視装置からの発信があれば、前記監視センターに登録されている機能仕様情報の更新が必要な前記エレベータ監視装置の一覧及び前記エレベータ監視装置の更新後の機能仕様情報を基に、該更新が必要な前記エレベータ監視装置の機能仕様情報を該発信時に更新することを特徴するエレベータの遠隔監視方法。
【請求項２】
エレベータを制御するエレベータ制御装置と、複数のエレベータの状態を監視し状況に応じて発信するエレベータ監視装置と、複数のエレベータの状態を集中して遠隔監視する監視センターと、前記エレベータ監視装置と前記監視センターとの間で交信するエレベータの遠隔監視方法において、
予め前記監視センターには機能仕様情報の更新が必要な前記エレベータ監視装置の一覧と前記エレベータ監視装置の機能情報更新日時及び前記エレベータ監視装置の更新後の機能仕様情報を登録しておき、前記監視センター或いは前記エレベータ監視装置からの発信があれば、予め前記監視センターに登録されている機能仕様情報の更新が必要な前記エレベータ監視装置の一覧と前記エレベータ監視装置の機能情報更新実行日時及び前記エレベータ監視装置の更新後の機能仕様情報を基に、該更新が必要な前記エレベータ監視装置の機能仕様情報を更新実行日時がきた時に更新することを特徴するエレベータの遠隔監視方法。
【請求項３】
更新後に、前記エレベータ監視装置と前記監視センターとの交信により更新内容を確認することを特徴とする請求項１に記載のエレベータの遠隔監視方法。
【発明の詳細な説明】
【０００１】
【発明の属する技術分野】
本発明は、エレベ−タの状態を公衆回線を使用して遠隔地においても監視可能とするエレベータの遠隔監視システムに関する。
【０００２】
【従来の技術】
図５は、従来のエレベ−タの遠隔監視システムを示す構成図である。
【０００３】
図５において、１はエレベ−タを制御するエレベ−タ制御装置、２はエレベ−タの状態を監視し状況に応じて発信するエレベ−タ監視装置、３はエレベ−タの状態を集中して遠隔監視する監視センタ−、４はエレベ−タ監視装置２と監視センタ−３の間を結ぶ公衆回線、５は監視センタ−３に設けられ様々な情報の入力を行う入力部、６はエレベ−タ監視装置２に設けられ様々な情報の入力を行う入力部、７はエレベ−タ監視装置２に設けられ様々な情報の記憶を行う記憶部である。
【０００４】
つぎに、上記構成の従来のエレベ−タの遠隔監視システムの動作について説明する。
【０００５】
エレベ−タ監視装置２はエレベ−タ制御装置１からの信号に基づきエレベ−タの状態を監視し、エレベ−タの状況に応じてエレベ−タ監視装置２から公衆回線４を介して監視センタ−３に発信する。このときの、エレベ−タ監視装置２の機能仕様情報は、エレベ−タ監視装置２の記憶部７に登録されている。
【０００６】
エレベ−タ監視装置２の機能仕様情報を更新する場合、二つの方法によって行われる。
【０００７】
一つは、監視センタ−３の入力部５から更新後の機能仕様情報を入力し、公衆回線４を介してエレベ−タ監視装置２の記憶部７へ更新後の機能仕様情報を登録させる方法である。
【０００８】
もう一つは、エレベ−タ監視装置２の入力部６から更新後の機能仕様情報を入力し、エレベ−タ監視装置２の記憶部７へ更新後の機能仕様情報を登録させる方法である。
【０００９】
【発明が解決しようとする課題】
従来の技術においてエレベ−タ監視装置の機能仕様情報を更新する場合、監視センタ−において係員が更新作業を行うか、あるいは、エレベ−タの保守作業者がエレベ−タ監視装置の設置場所へ出向いて更新作業を行わなければならない。
【００１０】
従って、多台数のエレベ−タ監視装置の機能仕様情報を更新する場合、全ての更新作業を完了するには相応の時間が必要であり、監視センタ−の係員及びエレベ−タの保守作業者の更新作業の負担はたいへん大きなものとなる。
【００１１】
また、あらかじめ決められた日時までにエレベ−タ監視装置の機能仕様情報を更新する必要がある場合、あらかじめ決められた日時までに更新作業が完了せずにエレベ−タ監視装置から発信すると、監視センタ−とのやりとりができないということも発生する。
【００１２】
本発明は、このような問題点を解決するためになされたもので、エレベ−タ監視装置の機能仕様情報を更新する場合、効率良くしかも確実に更新作業を行うことができるエレベ−タの遠隔監視システムを得ることを目的とする。
【００１３】
【課題を解決するための手段】
本発明は、エレベータを制御するエレベータ制御装置と、複数のエレベータの状態を監視し状況に応じて発信するエレベータ監視装置と、複数のエレベータの状態を集中して遠隔監視する監視センターと、前記エレベータ監視装置と前記監視センターとの間で交信するエレベータの遠隔監視方法において、
1.予め前記監視センターには機能仕様情報の更新が必要な前記エレベータ監視装置の一覧及び前記エレベータ監視装置の更新後の機能仕様情報を登録しておき、前記監視センター或いは前記エレベータ監視装置からの発信があれば、前記監視センターに登録されている機能仕様情報の更新が必要な前記エレベータ監視装置の一覧及び前記エレベータ監視装置の更新後の機能仕様情報を基に、該更新が必要な前記エレベータ監視装置の機能仕様情報を該発信時に更新するものである。
2.予め前記監視センターには機能仕様情報の更新が必要な前記エレベータ監視装置の一覧と前記エレベータ監視装置の機能情報更新日時及び前記エレベータ監視装置の更新後の機能仕様情報を登録しておき、前記監視センター或いは前記エレベータ監視装置からの発信があれば、予め前記監視センターに登録されている機能仕様情報の更新が必要な前記エレベータ監視装置の一覧と前記エレベータ監視装置の機能情報更新実行日時及び前記エレベータ監視装置の更新後の機能仕様情報を基に、該更新が必要な前記エレベータ監視装置の機能仕様情報を更新実行日時がきた時に更新する。
ものである。
【００１４】
また、前記エレベ−タ監視装置から前記監視センタ−に任意の時点で発信が行われた時、あるいは、前記監視センターから前記エレベ−タ監視装置に任意の時点で発信が行われた時に、前記エレベ−タ監視装置の機能仕様情報を、あらかじめ前記監視センタ−に登録しておいた前記エレベ−タ監視装置の更新後の機能仕様情報に自動的に更新するものである。
【００１５】
また、あらかじめ前記監視センタ−に登録しておいた、機能仕様情報の更新が必要な前記エレベ−タ監視装置の一覧と、前記エレベ−タ監視装置の更新後の機能仕様情報に基づいて、前記監視センタ−から複数の前記エレベ−タ監視装置に任意の時点で発信を自動的に順次繰り返し、前記エレベ−タ監視装置の機能仕様情報を、あらかじめ前記監視センタ−に登録しておいた前記エレベ−タ監視装置の更新後の機能仕様情報に自動的に更新するものである。
【００１６】
さらに、本発明は、エレベ−タを制御するエレベ−タ制御装置と、エレベ−タの状態を監視し状況に応じて発信するエレベ−タ監視装置と、エレベ−タの状態を集中して遠隔監視する監視センタ−と、前記エレベ−タ監視装置と前記監視センターの間を結ぶ公衆回線により構成されるエレベ−タの遠隔監視システムにおいて、機能仕様情報の更新が必要な前記エレベ−タ監視装置の一覧と、前記エレベ−タ監視装置の更新後の機能仕様情報と、前記エレベ−タ監視装置の機能仕様情報の更新実行日時を、あらかじめ前記監視センタ−に登録しておくものである。
【００１７】
また、前記エレベ−タ監視装置から前記監視センタ−に任意の時点で発信が行われた時、あるいは、前記監視センターから前記エレベ−タ監視装置に任意の時点で発信が行われた時に、あらかじめ前記監視センタ−に登録しておいた前記エレベ−タ監視装置の更新後の機能仕様情報と、前記エレベ−タ監視装置の機能仕様情報の更新実行日時を、前記エレベ−タ監視装置に自動的に転送し、前記エレベ−タ監視装置の機能仕様情報の更新実行日時がきた時に、前記エレベ−タ監視装置の機能仕様情報を、前記エレベ−タ監視装置の更新後の機能仕様情報に自動的に更新するものである。
【００１８】
また、あらかじめ前記監視センタ−に登録しておいた、機能仕様情報の更新が必要な前記エレベ−タ監視装置の一覧と、前記エレベ−タ監視装置の更新後の機能仕様情報と、前記エレベ−タ監視装置の機能仕様情報の更新実行日時に基づいて、前記監視センタ−から複数の前記エレベ−タ監視装置に任意の時点で発信を自動的に順次繰り返し、あらかじめ前記監視センタ−に登録しておいた前記エレベ−タ監視装置の更新後の機能仕様情報と、前記エレベ−タ監視装置の機能仕様情報の更新実行日時を、前記エレベ−タ監視装置に自動的に転送し、前記エレベ−タ監視装置の機能仕様情報の更新実行日時がきた時に、前記エレベ−タ監視装置の機能仕様情報を、前記エレベ−タ監視装置の更新後の機能仕様情報に自動的に更新するものである。
【００１９】
さらに、本発明は、前記エレベ−タ監視装置の機能仕様情報が、前記エレベ−タ監視装置の更新後の機能仕様情報に更新された後に、前記エレベ−タ監視装置から前記エレベ−タ監視装置の更新後の機能仕様情報に基づき発信を行うものである。
【００２０】
【発明の実施の形態】
図１は、本発明の一実施形態であるエレベ−タの遠隔監視システムを示す構成図である。
【００２１】
図１において、上記従来例と同一符号及び記号は上記従来例の構成部分と同一または相当する構成部分を示し、同一または相当する動作をする。
【００２２】
図１において、１１は監視センタ−３に設けられ様々な情報の記憶を行う記憶部、１２はエレベ−タ監視装置２に設けられ時間の計時を行う計時部である。
【００２３】
つぎに、上記構成の本発明の一実施形態であるエレベ−タの遠隔監視システムの動作について図２から図４を用いて説明する。
【００２４】
図２は、本発明の一実施形態であるエレベ−タの遠隔監視システムの監視センタ−における動作を示すフローチャートである。
【００２５】
ステップＳ１では、監視センタ−３に更新情報が入力されたかの判断が行われる。更新情報が入力されていればステップＳ２へ進み、入力されていなければステップＳ１へ戻る。この場合、更新情報とは、機能仕様情報の更新が必要なエレベ−タ監視装置２の一覧と、エレベ−タ監視装置２の更新後の機能仕様情報と、エレベ−タ監視装置２の機能仕様情報の更新実行日時であり、監視センタ−３の入力部５より入力される。
【００２６】
ステップＳ２では、監視センタ−３に更新情報が登録され、ステップＳ３へ進む。この場合、更新情報は監視センタ−３の記憶部１１に登録される。
【００２７】
ステップＳ３では、監視センタ−３から公衆回線４を介してエレベ−タ監視装置２に発信し、ステップＳ４へ進む。この場合、発信は任意の時点で行われる。
【００２８】
ステップＳ４では、エレベ−タ監視装置２に更新情報が転送・登録され、監視センタ−３における処理を終了する。この場合、更新情報とは、エレベ−タ監視装置２の更新後の機能仕様情報と、エレベ−タ監視装置２の機能仕様情報の更新実行日時であり、監視センタ−３の記憶部１１から公衆回線４を介してエレベ−タ監視装置２の記憶部７へ転送・登録される。
【００２９】
図３は、本発明の一実施形態であるエレベ−タの遠隔監視システムのエレベ−タ監視装置における動作を示すフロ−チャ−トである。
【００３０】
図２のステップＳ４の処理を監視センタ−３で終了し、引き続き、図３のステップＳ１１の処理がエレベ−タ監視装置２で開始される。
【００３１】
ステップＳ１１では、エレベ−タ監視装置２の機能仕様情報の更新実行日時となったかの判断が行われる。更新実行日時となっていればステップＳ１２へ進み、更新実行日時となっていなければステップＳ１１へ戻る。この場合、エレベ−タ監視装置２の記憶部７へ登録されているエレベ−タ監視装置２の機能仕様情報の更新実行日時と、エレベ−タ監視装置２の計時部１２の時間から、更新実行日時となったかの判断が行われる。
【００３２】
ステップＳ１２では、エレベ−タ監視装置２の機能仕様情報が更新され、ステップＳ１３へ進む。この場合、エレベ−タ監視装置２の記憶部７へ登録されているエレベ−タ監視装置２の機能仕様情報が、エレベ−タ監視装置２の記憶部７へ登録されているエレベ−タ監視装置２の更新後の機能仕様情報に、置き換えられることにより更新される。
【００３３】
ステップＳ１３では、エレベ−タ監視装置２から公衆回線４を介してエレベ−タ監視装置２の更新後の機能仕様情報に基づき発信し、エレベ−タ監視装置２における処理を終了する。この場合、発信はエレベ−タ監視装置２の機能仕様情報の更新後、任意の時点で行われる。
【００３４】
図４は、本発明の一実施形態であるエレベ−タの遠隔監視システムの着信先の監視センタ−における動作を示すフロ−チャ−トである。
【００３５】
図３のステップＳ１３の処理をエレベ−タ監視装置２で終了し、引き続き、図４のステップＳ２１の処理が着信先の監視センタ−３で開始される。
【００３６】
ステップＳ２１では、エレベ−タ監視装置２とエレベ−タ監視装置２の更新後の機能仕様情報に基づく着信先の監視センタ−３との接続が確認されたかの判断が行われる。接続が確認されていればステップＳ２２へ進み、接続が確認されていなければステップＳ２３へ進む。
【００３７】
ステップＳ２２では、着信先の監視センタ−３の係員に接続が確認されたことを報知し、着信先の監視センタ−３における処理を終了する。
【００３８】
ステップＳ２３では、着信先の監視センタ−３の係員に接続が確認されてないことを報知し、着信先の監視センタ−３における処理を終了する。
【００３９】
また、上記の一実施形態においては、監視センタ−３から公衆回線４を介してエレベ−タ監視装置２に発信する場合を示したが、エレベ−タ監視装置２から公衆回線４を介して監視センタ−３に発信することも可能である。
【００４０】
また、上記の一実施形態においては、更新実行日時となってエレベ−タ監視装置２の機能仕様情報を更新する場合を示したが、監視センタ−３から公衆回線４を介してエレベ−タ監視装置２に発信が行われた時、あるいは、エレベ−タ監視装置２から公衆回線４を介して監視センタ−３に発信が行われた時に、エレベ−タ監視装置２の機能仕様情報を更新することも可能である。
【００４１】
さらに、以上の実施形態において、複数のエレベ−タ監視装置２がある場合には、監視センタ−３から公衆回線４を介して複数のエレベ−タ監視装置２に発信を自動的に順次繰り返すことも可能である。
【００４２】
以上は、実施形態の一部を示したものであり、本発明は実施形態に限定されない。
【００４３】
【発明の効果】
以上のように本発明によれば、エレベ−タ監視装置の機能仕様情報を更新する場合、監視センタ−の係員やエレベ−タの保守作業者に大きな負担をかけることなく更新作業を行うことができ、多台数のエレベ−タ監視装置についても、効率良く更新作業を行うことができる。
【００４４】
また、あらかじめ決められた日時までにエレベ−タ監視装置の機能仕様情報を更新する必要がある場合、遅延なく更新することができる。
【００４５】
また、エレベ−タ監視装置の機能仕様情報の更新後、任意の時点で発信を行い接続確認を行うため、確実に更新作業を行うことができる。
【図面の簡単な説明】
【図１】本発明の一実施形態であるエレベ−タの遠隔監視システムを示す構成図。
【図２】本発明の一実施形態であるエレベ−タの遠隔監視システムの監視センタ−における動作を示すフロ−チャ−ト。
【図３】本発明の一実施形態であるエレベ−タの遠隔監視システムのエレベ−タ監視装置における動作を示すフロ−チャ−ト。
【図４】本発明の一実施形態であるエレベ−タの遠隔監視システムの着信先の監視センタ−における動作を示すフロ−チャ−ト。
【図５】従来のエレベ−タの遠隔監視システムを示す構成図。
【符号の説明】
１    エレベ−タ制御装置
２    エレベ−タ監視装置
３    監視センタ−
４    公衆回線
５    （監視センタ−）入力部
６    （エレベ−タ監視装置）入力部
７    （エレベ−タ監視装置）記憶部
１１  （監視センタ−）記憶部
１２  計時部
【図１】
0003760659.tif 000002
【図２】
0003760659.tif 000003
【図３】
0003760659.tif 000004
【図４】
0003760659.tif 000005
【図５】
0003760659.tif 000006